(57)【特許請求の範囲】
【請求項１】
複数枚の基板が、金属製のフレームに取り付けられて、外装体の内側に配される電子機器において、
前記複数枚の基板は、一方向に並列された状態で基板間がフレキシブル基板によって接続され、
前記フレームは、前記複数枚の基板のうち少なくとも２枚が、その基板間のフレキシブル基板を折り曲げることにより、積層されて取り付けられ、
板状に形成されたフレーム本体と、
前記フレーム本体に垂直に立設された側壁と、
積層されて取り付けられる各基板に対応して前記側壁に形成され、積層されて取り付けられる各基板のフレキシブル基板が接続された縁部に突出して形成された爪部が差し込まれて支持する基板差込穴と、
前記側壁に形成され、積層されて取り付けられる各基板間のフレキシブル基板が通される切欠きと、
積層されて取り付けられる各基板に対応して前記フレーム本体に形成され、積層されて取り付けられる各基板がビスでネジ止めされる基板支持部と、からなり、
前記フレームに積層されて取り付けられる基板は、下側の基板を前記フレームに取り付けたのち、前記フレキシブル基板を折り曲げることにより、上側の基板を折り畳んで前記フレームに取り付けることを特徴とする電子機器。
【請求項２】
前記フレームに積層されて取り付けられる基板のうち最下層に取り付けられる基板が電源基板であることを特徴とする請求項１に記載の電子機器。
【請求項３】
前記複数枚の基板は、片端に位置する一枚の基板を残して前記フレームに積層されて取り付けられ、前記フレーム本体には、前記片端に位置する一枚の基板がビスでネジ止めされる基板支持部が形成されることを特徴とする請求項１又は２に記載の電子機器。
【発明の詳細な説明】
【０００１】
【発明の属する技術分野】
本発明は電子機器に係り、特にデジタルカメラのように外装体の内側に複数枚の基板が配される電子機器に関する。
【０００２】
【従来の技術】
デジタルカメラは、多数の電子部品で構成されており、外装ケースの内側には、これらの電子部品がマウントされた基板が複数枚収容されている。従来、これらの基板は、互いにコネクタを介して接続されており、個々の基板を近接した位置に配置することで実装密度を高めていた。
【０００３】
【発明が解決しようとする課題】
しかしながら、コネクタによって互いの基板を接続する方式では、組み立てに手間がかかるとともに、コネクタを設置するためのスペースを設けなければならないため、スペース効率が悪いという欠点があった。
【０００４】
一方、特開平５−１３７０３６号公報には、各基板間をフレキシブル基板で接続し、複数の基板を折り畳んだ状態で筒状のインナーケースに収容することが提案されているが、この構造の場合、基板を筒状のインナーケースに収容しなければならないため、組み立てに手間がかかるという欠点がある。
【０００５】
本発明はこのような事情に鑑みてなされたもので、内装される基板を簡単に組み立てることができる電子機器を提供することを目的とする。
【０００６】
【課題を解決するための手段】
請求項１に係る発明は、前記目的を達成するために、複数枚の基板が、金属製のフレームに取り付けられて、外装体の内側に配される電子機器において、前記複数枚の基板は、一方向に並列された状態で基板間がフレキシブル基板によって接続され、前記フレームは、前記複数枚の基板のうち少なくとも２枚が、その基板間のフレキシブル基板を折り曲げることにより、積層されて取り付けられ、板状に形成されたフレーム本体と、前記フレーム本体に垂直に立設された側壁と、積層されて取り付けられる各基板に対応して前記側壁に形成され、積層されて取り付けられる各基板のフレキシブル基板が接続された縁部に突出して形成された爪部が差し込まれて支持する基板差込穴と、前記側壁に形成され、積層されて取り付けられる各基板間のフレキシブル基板が通される切欠きと、積層されて取り付けられる各基板に対応して前記フレーム本体に形成され、積層されて取り付けられる各基板がビスでネジ止めされる基板支持部と、からなり、前記フレームに積層されて取り付けられる基板は、下側の基板を前記フレームに取り付けたのち、前記フレキシブル基板を折り曲げることにより、上側の基板を折り畳んで前記フレームに取り付けることを特徴とする電子機器を提供する。
【０００７】
また、請求項２に係る発明は、前記目的を達成するために、前記フレームに積層されて取り付けられる基板のうち最下層に取り付けられる基板が電源基板であることを特徴とする請求項１に記載の電子機器を提供する。
【０００８】
また、請求項３に係る発明は、前記目的を達成するために、前記複数枚の基板は、片端に位置する一枚の基板を残して前記フレームに積層されて取り付けられ、前記フレーム本体には、前記片端に位置する一枚の基板がビスでネジ止めされる基板支持部が形成されることを特徴とする請求項１又は２に記載の電子機器を提供する。
【０００９】
本発明によれば、複数枚の基板間をフレキシブル基板で接続することにより、組み立て時の結線作業が不要になり、組み立てを簡単に行なうことができる。また、少なくとも２枚の基板を折り畳んでフレーム本体に取り付けることにより、基板の実装密度を高めることができ、コンパクト化を図ることができる。さらに、一方向に並列させてフレキシブル基板で接続することにより、折り畳み方向が統一され、簡単に組み立てができるようになる。また、最下層に取り付けられる基板を電源基板とすることにより、フレーム本体がシールドとして作用し、電源基板によるＥＭＩ（不要輻射）を抑制できる。また、フレームでグランドをとることができる。
【００１０】
【発明の実施の形態】
以下、添付図面に従って本発明に係る電子機器の好ましい実施の形態について詳説する。
【００１１】
図１は本発明が適用されたデジタルカメラの分解斜視図である。同図に示すように、デジタルカメラ１０の外装カバーは、フロントカバー１２Ａとリアカバー１２Ｂとで構成されており、その内側にビデオ基板１４、電源基板１６、コネクタ基板１８等の各種構成部材が配置される (図１には本発明の主要構成要素のみを図示) 。
【００１２】
ビデオ基板１４、電源基板１６、コネクタ基板１８は、図２に示すように、一方向に並列された状態で隣り合う基板間をフレキシブル基板２０、２２で接続されて一体化されている（いわゆる、フレキ複合型多層基板）。このように一体化されたビデオ基板１４、電源基板１６、コネクタ基板１８は、メインフレーム２４に取り付けられて外装カバーの内側に収容配置される。
【００１３】
メインフレーム２４は、下段部２４Ａと上段部２４Ｂとで構成されており、金属製のプレートを２段に折り曲げて形成されている。そして、この２段に曲げ成形されたメインフレーム２４の下段部２４Ａにコネクタ基板１８が取り付けられ、上段部２４Ｂに電源基板１６とビデオ基板１４とが折り畳まれた状態で取り付けられる。
【００１４】
メインフレーム２４の下段部２４Ａには、コネクタ基板１８を支持するためのコネクタ基板支持部２６が一体的に形成されている。このコネクタ基板支持部２６は、下段部２４Ａの側縁部分に垂直に立設されており、その頂部に水平なネジ止め部２６Ａが一体成形されている。コネクタ基板１８をメインフレーム２４に取り付ける場合は、まず、コネクタ基板１８をコネクタ基板支持部２６のネジ止め部２６Ａに載置し、そのコネクタ基板１８に形成されたネジ穴１８Ａとネジ止め部２６Ａに形成されたネジ穴２６Ｂの位置を合わせる。そして、そのコネクタ基板１８に形成されたネジ穴１８Ａにビス２８をねじ込む。これにより、コネクタ基板１８が、コネクタ基板支持部２６にネジ止めされて、メインフレーム２４の下段部２４Ａに取り付けられる。このようにして取り付けられたコネクタ基板１８は、メインフレーム２４の下段部２４Ａに対して所定の隙間を持って支持される（浮いた状態で支持される）。
【００１５】
一方、メインフレーム２４の上段部２４Ｂには、電源基板１６とビデオ基板１４を支持するための電源基板支持部３０、ビデオ基板支持部３２及び側壁３４が一体的に形成されている。
【００１６】
電源基板支持部３０は、上段部２４Ｂの側縁部分に垂直に立設されており、その頂部に水平なネジ止め部３０Ａが一体成形されている。
【００１７】
ビデオ基板支持部３２は、上段部２４Ｂの側縁部分に垂直に立設されており、その頂部に水平なネジ止め部３２Ａが一体成形されている。このビデオ基板支持部３２は、電源基板支持部３０よりも高く形成されている。
【００１８】
側壁３４は、電源基板支持部３０とビデオ基板支部３２に対向するように形成されており、上段部２４Ｂの側縁に沿って垂直に立設されている。この側壁３４の中央部分には切欠き３４Ａが形成されており、切欠き３４Ａの両側には矩形状に形成された電源基板差込穴３６、３６とビデオ基板差込穴３８、３８が形成されている。電源基板差込穴３６、３６は電源基板支持部３０の高さと同じ高さに形成されており、また、ビデオ基板差込穴３８、３８はビデオ基板支持部３２の高さと同じ高さに形成されている。
【００１９】
電源基板１６をメインフレーム２４に取り付ける場合は、まず、その縁部に突出して形成された一対の爪部１６Ａ、１６Ａを側壁３４に形成された一対の電源基板差込穴３６、３６に差し込む。これにより、電源基板１６は電源基板支持部３０のネジ止め部３０Ａ上に載置される。この状態で電源基板１６に形成されたネジ穴１６Ｂにビス４０をねじ込むと、ネジ止め部３０Ａに形成されたネジ穴３０Ｂにビス４０が螺合し、電源基板１６が電源基板支持部３０にネジ止めされる。これにより、電源基板１６がメインフレーム２４の上段部２４Ｂに取り付けられる。このようにしてメインフレーム２４に取り付けられた電源基板１６は、メインフレーム２４の上段部２４Ｂに対して所定の隙間をもって支持される（浮いた状態で支持される）。
【００２０】
一方、ビデオ基板１４をメインフレーム２４に取り付ける場合は、まず、フレキシブル基板２０を折り曲げることにより、ビデオ基板１４を電源基板１６の上方に折り畳む。そして、その縁部に突出して形成された一対の爪部１４Ａ、１４Ａを側壁３４に形成された一対のビデオ基板差込穴３８、３８に差し込む。これにより、ビデオ基板１４は、裏返しにされた状態でビデオ基板支持部３２のネジ止め部３２Ａ上に載置される。この状態でビデオ基板１４に形成されたネジ穴１４Ｂにビス４２をねじ込むと、ネジ止め部３２Ａに形成されたネジ穴３２Ｂにビス４２が螺合し、ビデオ基板１４がビデオ基板支持部３２にネジ止めされる。これにより、ビデオ基板１４がメインフレーム２４の上段部２４Ｂに取り付けられる。このようにしてメインフレーム２４に取り付けられたビデオ基板１４は、電源基板１６に対して所定の隙間をもって支持される（浮いた状態で支持される）。
【００２１】
前記のごとく構成された本実施の形態のデジタルカメラにおける各種基板の組み付け方法は次のとおりである。
【００２２】
まず、図３に示すように、電源基板１６をメインフレーム２４の上段部２４Ｂに取り付ける。すなわち、電源基板１６に形成された一対の爪部１６Ａ、１６Ａを側壁３４に形成された電源基板差込穴３６、３６に差し込み、電源基板１６を電源基板支持部３０にネジ止めする。これにより、電源基板１６がメインフレーム２４の上段部２４Ｂに取り付けられる。
【００２３】
次に、コネクタ基板１８をメインフレーム２４の下段部２４Ａに取り付ける。すなわち、コネクタ基板１８をコネクタ基板支持部２６のネジ止め部２６Ａに載置し、ビス２８でネジ止めする。これにより、コネクタ基板１８が、メインフレーム２４の下段部２４Ａに取り付けられる。
【００２４】
最後に、図４に示すように、ビデオ基板１４を折り畳んでメインフレーム２４に取り付ける。この場合、まず、フレキシブル基板２０を折り曲げることにより、ビデオ基板１４を電源基板１６の上方に折り畳む。次いで、ビデオ基板１４に形成された一対の爪部１４Ａ、１４Ａを側壁３４に形成されたビデオ基板差込穴３８、３８に差し込む。そして、ビデオ基板１４をビデオ基板支持部３２にネジ止めする。
【００２５】
以上により、ビデオ基板１４、電源基板１６、コネクタ基板１８がメインフレーム２４に取り付けられる。そして、このようして取り付けられた電源基板１６及びコネクタ基板１８は、それぞれメインフレーム２４から浮いた状態で支持され、ビデオ基板１４は電源基板１６から浮いた状態で支持される。また、各基板１４、１６、１８は、各支持部２６、３０、３２にビス２８、４０、４２にネジ止めされることでグラウンドがとられる。
【００２６】
このように、本実施の形態によれば、各基板間をフレキシブル基板２０、２２で接続することにより、各基板間の結線作業が不要になり容易に組み立てることができる。また、コネクタの設置スペースが不要になるので全体がコンパクトな構成になる。
【００２７】
また、電源基板１６とビデオ基板１４を折り畳んでメインフレーム２４に取り付けることにより、基板の実装密度を高めることができ、コンパクト化を図ることができる。この際、平板状に形成されたメインフレーム２４に対して下層の基板から順に組み付けてゆくので、簡単に組み付けることができる。さらに、各基板が一方向に並列されてフレキシブル基板２０、２２で接続されているので、組み付ける際に折り畳み方向が統一され、容易に組み付けることができる。
【００２８】
また、電源基板１６を最下層に配置して、メインフレーム２４の近傍に配置することにより、メインフレーム２４がシールドとして作用し、電源基板１６によるＥＭＩ（不要輻射）を抑制することができる。
【００２９】
なお、本実施の形態では、ビデオ基板１４と電源基板１６とコネクタ基板１８を一体化してメインフレーム２４に取り付ける例で説明したが、その他の基板も一体化して取り付けるようにしてもよい。すなわち、本実施の形態では、折り畳む基板を２層としているが、３層以上で構成してもよい。
【００３０】
また、本実施の形態では、本発明をデジタルカメラに適用した例で説明したが、外装ケースの内側に複数枚の基板が配設される電子機器であれば、同様に適用することができる。
【００３１】
【発明の効果】
以上説明したように、本発明によれば、複数枚の基板間をフレキシブル基板で接続することにより、組み立て時の結線作業が不要になり、組み立てが簡単になる。また、少なくとも２枚の基板を折り畳んでフレーム本体に取り付けることにより、基板の実装密度を高めることができ、コンパクト化が図れる。さらに、一方向に並列させてフレキシブル基板で接続することにより、折り畳み方向が統一され、組み立てが簡単になる。また、最下層に取り付けられる基板を電源基板とすることにより、フレーム本体がシールドとして作用し、電源基板によるＥＭＩ（不要輻射）を抑制できる。
【図面の簡単な説明】
【図１】本発明が適用されたデジタルカメラの分解斜視図
【図２】各基板とメインフレームの構成を示す斜視図
【図３】各基板のメインフレームへの組み付け方法を説明する説明図
【図４】メインフレームに組み付けられた基板の斜視図
【符号の説明】
１０…デジタルカメラ、１２Ａ…フロントカバー、１２Ｂ…リアカバー、１４…ビデオ基板、１４Ａ…爪部、１４Ｂ…ネジ穴、１６…電源基板、１６Ａ…爪部、１６Ｂ…ネジ穴、１８…コネクタ基板、１８Ａ…ネジ穴、２０、２２…フレキシブル基板、２４…メインフレーム、２４Ａ…下段部、２４Ｂ…上段部、２６…コネクタ基板支持部、２６Ａ…ネジ止め部、２６Ｂ…ネジ穴、２８…ビス、３０…電源基板支持部、３０Ａ…ネジ止め部、３０Ｂ…ネジ穴、３２…ビデオ基板支持部、３２Ａ…ネジ止め部、３２Ｂ…ネジ穴、３４…側壁、３４Ａ…切欠き、３６…電源基板差込穴、３８…ビデオ基板差込穴、４０…ビス、４２…ビス
【図１】
0004062420.tif 000002
【図２】
0004062420.tif 000003
【図３】
0004062420.tif 000004
【図４】
0004062420.tif 000005